(57)【要約】【課題】燃料タンクの外壁の傾斜部分でも、ヒータの位置ずれの生じない自動車用燃料タンクの部品溶着装置を提供する。【解決手段】部品溶着装置１０は、ベースプレート１１とヒータ部材２３を有する。ヒータ部材２３はタンクヒータ部材２５を有する。ヒータ部材２３は、垂直スライド部材１２と平行スライド部材２２にスライド可能に取付けられる。垂直スライド部材１２によりタンクヒータ部材２５を燃料タンク１の溶着表面１ａに当接させ、タンクヒータ部材２５により燃料タンク１の溶着表面１ａを溶融した後に、平行スライド部材２２によりタンクヒータ部材２５をスライドさせて、燃料タンク１の溶着表面１ａから移動させる。溶着部品７を燃料タンク１の溶着表面１ａに押圧して燃料タンク１に溶着部品７を溶着する。【選択図】図２
2017024275.tif 000002
【特許請求の範囲】
【請求項１】
合成樹脂製の燃料タンクに合成樹脂製の溶着部品を溶着する燃料タンクの部品溶着装置において、
該部品溶着装置は、ベースプレートと、該ベースプレートに摺動自在に取付けられ上記燃料タンクの表面を溶融するヒータ部材を有し、
該ヒータ部材は、上記燃料タンクの溶着表面を溶融するタンクヒータ部材を有するとともに、上記ヒータ部材は、上記タンクヒータ部材を上記燃料タンクの溶着表面に対して垂直方向に移動させる垂直スライド部材と、上記タンクヒータ部材を上記燃料タンクの溶着表面に対して平行にスライドさせる平行スライド部材にスライド可能に取付けられ、
上記垂直スライド部材により上記タンクヒータ部材を上記燃料タンクの溶着表面に当接させ、上記タンクヒータ部材により上記燃料タンクの溶着表面を溶融した後に、上記平行スライド部材により上記タンクヒータ部材をスライドさせて、上記燃料タンクの溶着表面から移動させ、
上記溶着部品を上記燃料タンクの溶着表面に押圧して燃料タンクに合成樹脂製の溶着部品を溶着する燃料タンクの部品溶着装置。
【請求項２】
上記ヒータ部材は、上記タンクヒータ部材と上記溶着部品の部品溶着面を溶融する部品ヒータ部材を有して、上記垂直スライド部材により上記タンクヒータ部材を上記燃料タンクの溶着表面に当接させるとともに、上記部品ヒータ部材に上記溶着部品の部品溶着面を当接させ、上記タンクヒータ部材により上記燃料タンクの溶着表面と、上記部品ヒータ部材により上記溶着部品の部品溶着面を溶融した後に、上記平行スライド部材により上記ヒータ部材をスライドさせて、上記燃料タンクの溶着表面から移動させ、
上記溶着部品を上記燃料タンクの溶着表面に押圧して燃料タンクに合成樹脂製の溶着部品を溶着する請求項１に記載の燃料タンクの部品溶着装置。
【請求項３】
上記溶融部品が溶着される上記燃料タンクの溶着表面は、上記燃料タンクの傾斜面に形成された請求項１又は請求項２に記載の燃料タンクの部品溶着装置。
【請求項４】
上記平行スライド部材は、上記ヒータ部材を保持するヒータ部材保持テーブルと、該ヒータ部材保持テーブルを上記燃料タンクの溶着表面に対して平行スライドさせるヒータ部材スライドエアシリンダ及びヒータ部材スライドシャフトと、該ヒータ部材スライドエアシリンダ及びヒータ部材スライドシャフトを取付けるヒータ部材スライドテーブルを有し、上記ヒータ部材スライドエアシリンダ及びヒータ部材スライドシャフトは、上記ヒータ部材スライドテーブルに取付けられて、上記ヒータ部材スライドテーブルにストッパ部材が取付けられて、上記ストッパ部材により上記ヒータ部材保持テーブルの移動を規制する請求項１乃至３のいずれか一項に記載の燃料タンクの部品溶着装置。
【請求項５】
上記垂直スライド部材は、上記ヒータ部材及び上記平行スライド部材を有するヒータユニットを上記ベースプレートに沿って、上記燃料タンクの溶着表面に対して垂直方向にスライドさせるタンク加圧エアシリンダ及びタンク加圧スライドシャフトを有する請求項１乃至４のいずれか一項に記載の燃料タンクの部品溶着装置。
【発明の詳細な説明】
【技術分野】
【０００１】
本発明は、合成樹脂製の自動車用燃料タンクの開口部に部品を溶着する燃料タンクの部品溶着装置に関するものであり、特に、燃料タンクへ気体又は液体が出入りする開口部にニップル等を取付ける燃料タンクの部品溶着装置に関する。
【背景技術】
【０００２】
自動車用燃料タンクの構造としては、燃料タンク内に燃料を注入し、あるいは燃料タンクからエンジン側に燃料を輸送するチューブを取付ける複数のニップル等の部品が燃料タンクの外壁の開口部に取付けられている。
このような燃料タンクは、従来、金属製のものが用いられていたが、近年車両の軽量化や、錆が発生しないこと、所望の形状に成形しやすいことなどによって熱可塑性樹脂製のものが用いられるようになってきた。
【０００３】
この熱可塑性樹脂製の燃料タンクは、従来は、ブロー成形や射出成形により形成される場合が多いが、成形時にニップル等を取付けるために、燃料タンクの外壁に開口部を形成している。そして、その開口部には、ニップル等の部品を取付けるために、別に成形した合成樹脂製の部品を燃料タンクの開口部に溶着する場合がある。この場合には、燃料タンクの開口部とニップル等の部品を熱板溶着するためには、開口部と部品を熱板で溶融する必要があった。
【０００４】
例えば、図６に示すように、燃料タンク１０１の外壁１０２に溶着部品であるニップル１０４を溶着する場合には、ニップル１０４の下端の溶着面と、外壁１０２の開口部１０３の溶着部分を溶融させて、ニップル１０４の溶着面を外壁１０２の開口部１０３に圧着させて、溶着している（例えば、特許文献１参照。）。この場合には、ニップル１０４の溶着面と開口部１０３の溶着部分を溶融させるために、外壁１０２の開口部１０３用のヒータ１０５とニップル１０４用のヒータ１０６をそれぞれの溶着部分に当接させて溶融している。
【０００５】
その後、回転アクチュエータ１０７で開口部１０３用のヒータ１０５とニップル１０４用のヒータ１０６が取付けられたヒータブロック１０８を回転させて、ヒータ１０５、１０６を溶着部分から外して、ニップル１０４を外壁１０２の開口部１０３に押圧して、溶着している。
【０００６】
しかしながら、燃料タンクの外壁の開口部が傾斜した面に形成されている場合には、部品もその傾斜面に合わせて取付けるため、図７に示すように、開口部１０３用のヒータ１０５とニップル１０４用のヒータ１０６が取付けられたヒータブロック１０８を開口部が傾斜した面に直角に当接するように、傾斜して保持する必要がある。
【０００７】
その場合には、溶融後に回転アクチュエータ２０７でヒータブロック２０８を回転させて、燃料タンクの外壁の開口部ニップルとから外している。ヒータブロック２０８の回転の終点では位置決めストッパ２０９が設けられて、ヒータブロック２０８の位置ずれを防止している。
【０００８】
傾斜した回転軸で回転アクチュエータ２０７によりヒータブロック２０８を回転させると、図７の矢印で示すように、ヒータブロック２０８は円弧状の軌跡を描いて回転する。この場合に、回転アクチュエータ２０７は、矢印のＸで示す部分は重力に抗してヒータブロック２０８を回転させ、矢印のＹで示す部分は重力が回転アクチュエータ２０７の回転力に加わることになる。
【０００９】
回転アクチュエータ２０７の回転力（エアー圧）は、矢印のＸで示す部分を回転させることができるように設定せざるを得ないために、矢印のＹで示す部分は、回転力が過剰となり、ヒータブロック２０８は位置決めストッパ２０９に衝突することとなる。この衝突が繰り返されると、位置決めストッパ２０９を取付けているナット等に緩みが生じて、ヒータブロック２０８の位置ずれが生じることとなる。位置ずれが生じると、ヒータブロック２０８がタンク開口部に当接する位置がずれることとなる。
【先行技術文献】
【特許文献】
【００１０】
【特許文献１】特開２００３−１１２２９号公報
【発明の概要】
【発明が解決しようとする課題】
【００１１】
そこで本発明は、燃料タンクの外壁の傾斜部分でも、ヒータの位置ずれの生じない自動車用燃料タンクの部品溶着装置を提供しようとするものである。
【課題を解決するための手段】
【００１２】
上記課題を解決するために請求項１の本発明は、合成樹脂製の燃料タンクに合成樹脂製の溶着部品を溶着する燃料タンクの部品溶着装置において、
部品溶着装置は、ベースプレートと、ベースプレートに摺動自在に取付けられ燃料タンクの表面を溶融するヒータ部材を有し、
ヒータ部材は、燃料タンクの溶着表面を溶融するタンクヒータ部材を有するとともに、ヒータ部材は、タンクヒータ部材を燃料タンクの溶着表面に対して垂直方向に移動させる垂直スライド部材と、タンクヒータ部材を燃料タンクの溶着表面に対して平行にスライドさせる平行スライド部材にスライド可能に取付けられ、
垂直スライド部材によりタンクヒータ部材を燃料タンクの溶着表面に当接させ、タンクヒータ部材により燃料タンクの溶着表面を溶融した後に、平行スライド部材によりタンクヒータ部材をスライドさせて、燃料タンクの溶着表面から移動させ、
溶着部品を燃料タンクの溶着表面に押圧して燃料タンクに溶着部品を溶着する燃料タンクの部品溶着装置。
【００１３】
請求項１の本発明では、合成樹脂製の燃料タンクに合成樹脂製の溶着部品を溶着する燃料タンクの部品溶着装置において、部品溶着装置は、ベースプレートと、ベースプレートに摺動自在に取付けられ燃料タンクの表面を溶融するヒータ部材を有している。このため、ベースプレート上を、ヒータ部材を摺動させて、燃料タンクの表面に当接させて、溶融させることができる。
【００１４】
ヒータ部材は、燃料タンクの溶着表面を溶融するタンクヒータ部材を有する。このため、タンクヒータ部材で、燃料タンクの溶着表面を溶融して、溶着部品を燃料タンクに溶着することができる。
ヒータ部材は、タンクヒータ部材を燃料タンクの溶着表面に対して垂直方向に移動させる垂直スライド部材を有する。このため、垂直スライド部材でタンクヒータ部材を摺動させて、タンクヒータを燃料タンクの溶着表面に当接させることができる。
【００１５】
タンクヒータ部材を燃料タンクの溶着表面に対して平行にスライドさせる平行スライド部材にスライド可能に取付けられる。このため、平行スライド部材でタンクヒータ部材を燃料タンクの溶着表面からスライドさせて外すことができる。平行スライド部材を使用するため、タンクヒータ部材を燃料タンクの溶着表面から平行にスライドさせているときの平行スライド部材を移動させる力は一定であり、位置決め部材に衝突することがなく、位置決め部材が位置ずれを生じることがない。
【００１６】
垂直スライド部材によりタンクヒータ部材を燃料タンクの溶着表面に当接させ、タンクヒータ部材により燃料タンクの溶着表面を溶融した後に、平行スライド部材によりタンクヒータ部材をスライドさせて、燃料タンクの溶着表面から移動させる。このため、垂直スライド部材でタンクヒータ部材を摺動させて、タンクヒータ部材で燃料タンクの溶着表面を溶融するとともに、平行スライド部材でタンクヒータ部材を燃料タンクの溶着表面からスライドにより移動させて、部品の溶着をすることができる。平行スライド部材でスライドさせるため、タンクヒータ部材を移動させるに必要な駆動力が一定であり、停止部材に衝突することもなく、所定の位置に確実に移動させることができる。
【００１７】
部品を燃料タンクの表面に押圧して燃料タンクに溶着部品を溶着するため、平行スライド部材でヒータ部材を燃料タンクの溶着表面から外して、ヒータ部材が邪魔にならず、部品を燃料タンクの溶着表面に押圧することができ、溶融状態にある溶着表面に溶着部品を溶着することができる。
【００１８】
請求項２の本発明は、ヒータ部材は、タンクヒータ部材と溶着部品の部品溶着面を溶融する部品ヒータ部材を有して、垂直スライド部材によりタンクヒータ部材を燃料タンクの溶着表面に当接させるとともに、部品ヒータ部材に溶着部品の部品溶着面を当接させ、タンクヒータ部材により燃料タンクの溶着表面と、部品ヒータ部材により溶着部品の部品溶着面を溶融した後に、平行スライド部材によりヒータ部材をスライドさせて、燃料タンクの溶着表面から移動させ、
溶着部品を燃料タンクの溶着表面に押圧して燃料タンクに合成樹脂製の溶着部品を溶着する燃料タンクの部品溶着装置である。
【００１９】
請求項２の本発明では、ヒータ部材は、タンクヒータ部材と溶着部品の部品溶着面を溶融する部品ヒータ部材を有して、垂直スライド部材によりタンクヒータ部材を燃料タンクの溶着表面に当接させるとともに、部品ヒータ部材に溶着部品の部品溶着面を当接させる。このため、燃料タンクの溶着表面と溶着部品の部品溶着面を同時にヒータ部材のタンクヒータと部品ヒータで確実に溶融することができる。
【００２０】
タンクヒータ部材により燃料タンクの溶着表面と、部品ヒータ部材により溶着部品の部品溶着面を溶融した後に、平行スライド部材によりヒータ部材をスライドさせて、燃料タンクの溶着表面から移動させる。このため、タンクヒータ部材と部品ヒータ部材が邪魔にならずに、燃料タンクの溶着表面に溶着部品を押圧することができる。
溶着部品の溶融した部品溶着面を燃料タンクの溶融した溶着表面に押圧することにより、強固に溶着部品を燃料タンクに溶着することができる。
【００２１】
請求項３の本発明は、部品が溶着される燃料タンクの溶着表面は、燃料タンクの傾斜面に形成された燃料タンクの部品溶着装置である。
【００２２】
請求項３の本発明では、部品が溶着される燃料タンクの溶着表面は、燃料タンクの傾斜面に形成されたため、ヒータ部材が重力方向に対して傾斜してスライドするが、ヒータ部材は回転せずに平行スライド部材により、燃料タンクの傾斜面に対して一定の角度で平行にスライドするため、ヒータ部材をスライドさせるスライド部材の出力とヒータ部材にかかる重力を一定にすることができる。
【００２３】
請求項４の本発明は、平行スライド部材は、ヒータ部材を保持するヒータ部材保持テーブルと、ヒータ部材保持テーブルを燃料タンクの溶着表面に対して平行スライドさせるヒータ部材スライドエアシリンダ及びヒータ部材スライドシャフトと、ヒータ部材スライドエアシリンダ及びヒータ部材スライドシャフトを取付けるヒータ部材スライドテーブルを有し、ヒータ部材スライドエアシリンダ及びヒータ部材スライドシャフトは、ヒータ部材スライドテーブルに取付けられて、ヒータ部材スライドテーブルにストッパ部材が取付けられて、ストッパ部材によりヒータ部材保持テーブルの移動を規制する燃料タンクの部品溶着装置である。
【００２４】
請求項４の本発明では、平行スライド部材は、ヒータ部材を保持するヒータ部材保持テーブルと、ヒータ部材保持テーブルを燃料タンクの溶着表面に対して平行スライドさせるヒータ部材スライドエアシリンダ及びヒータ部材スライドシャフトと、ヒータ部材スライドエアシリンダ及びヒータ部材スライドシャフトを取付けるヒータ部材スライドテーブルを有する。このため、ヒータ部材スライドエアシリンダ及びヒータ部材スライドシャフトによりヒータ部材保持テーブルに保持されたヒータ部材を平行にスライドさせて、ヒータ部材を燃料タンクの溶着表面から移動させることができる。
【００２５】
ヒータ部材スライドエアシリンダ及びヒータ部材スライドシャフトは、ヒータ部材スライドテーブルに取付けられて、ヒータ部材スライドテーブルにストッパ部材が取付けられて、ストッパ部材によりヒータ部材保持テーブルの移動を規制する。このため、ストッパ部材にヒータ部材保持テーブルが衝突することがなく、長時間の使用においても、ストッパ部材がずれることがなく、確実に、ヒータ部材を燃料タンクの溶着表面に当接させることができる。
【００２６】
請求項５の本発明は、垂直スライド部材は、ヒータ部材及び平行スライド部材を有するヒータユニットをベースプレートに沿って、燃料タンクの溶着表面に対して垂直方向にスライドさせるタンク加圧エアシリンダ及びタンク加圧スライドシャフトを有する燃料タンクの部品溶着装置である。
【００２７】
請求項５の本発明は、垂直スライド部材は、ヒータ部材及び平行スライド部材を有するヒータユニットをベースプレートに沿って、燃料タンクの溶着表面に対して垂直方向にスライドさせるタンク加圧エアシリンダ及びタンク加圧スライドシャフトを有する。このため、タンク加圧エアシリンダを駆動させて、タンク加圧スライドシャフトによりヒータユニットのタンクヒータ部材を燃料タンクの溶着表面に対して垂直方向に押圧して、燃料タンクの溶着表面を溶融することができる。
【発明の効果】
【００２８】
タンクヒータ部材を移動させる平行スライド部材を使用するため、タンクヒータ部材を燃料タンクの溶着表面からスライドさせているときの平行スライド部材を移動させる力は一定であり、位置決め部材に衝突することがなく、位置決め部材が位置ずれを生じることがない。
【００２９】
垂直スライド部材によりタンクヒータ部材を燃料タンクの溶着表面に当接させ、タンクヒータ部材により燃料タンクの表面を溶融した後に、平行スライド部材によりタンクヒータ部材をスライドさせるため、垂直スライド部材でヒータ部材を摺動させて、タンクヒータ部材で燃料タンクの溶着表面を溶融するとともに、平行スライド部材でタンクヒータ部材を燃料タンクの溶着表面からスライドさせて移動させて、溶着部品の溶着をすることができる。
【図面の簡単な説明】
【００３０】
【図１】本発明の実施の形態に使用する燃料タンクの斜視図である。
【図２】本発明の実施の形態を示すもので、部品溶着装置の斜視図である。
【図３】本発明の実施の形態を示すもので、部品溶着装置のヒータユニットをベースプレートに取付けた部分の平面図である。
【図４】本発明の実施の形態を示すもので、部品溶着装置のヒータユニットをベースプレートに取付けた部分の正面図である。
【図５】本発明の実施の形態を示すもので、部品溶着装置のヒータユニットをベースプレートに取付けた部分の側面図である。
【図６】従来の部品溶着装置の正面図である。
【図７】従来の部品溶着装置において、傾斜面を溶融する場合のヒータユニットの回転軌跡を示す模式図である。
【発明を実施するための形態】
【００３１】
本発明の実施の形態について、燃料タンク１へ溶着部品７を溶着して取付ける部品溶融装置１０について、溶着部品７としてニップルを溶着する溶着装置を例にとり、図１〜図５に基づき説明する。
図１は本発明の部品が取付けられる燃料タンク１の斜視図であり、図２〜図５は、部品溶着装置１０の図である。
【００３２】
まず、本発明の部品溶着装置１０を使用して溶着部品７を取付ける燃料タンク１ついて図１に基づき説明する。
本発明の実施の形態では、燃料タンク１は、図１に示すように、その燃料タンク１に燃料ポンプ（図示せず）等を出し入れするためにポンプユニット取付孔４が上面に形成されている。また、燃料タンク１の側面又は上面には、インレットパイプ（図示せず）から燃料を注入する燃料注入孔５が形成されている。
【００３３】
さらに、燃料タンク１の上面には、内部の燃料蒸気を回収するホース等を接続する各種の取付部材６が形成されている。取付部材６は、たとえば、カットオフバルブやブリーザポート取付部等の各種のホースを取付けるものである。この取付部材６は、図１に示すように、燃料タンク１の外壁の傾斜した面にも取付けられる。
【００３４】
また、燃料タンク１の周囲には外周リブ２が全周に亘り形成されており、外周リブ２のコーナー部等の所定箇所には、数箇所に亘り取付用孔３が形成され、取付用孔３と車体をボルト締めすることにより、燃料タンク１を車体に取付けている。取付用孔３ではなく、燃料タンク１の外周にベルトをかけてそのベルトにより燃料タンク１を車体に取り付けることもできる。
【００３５】
本実施の形態において、燃料タンク１は、ブロー成形で形成されるが、射出成形で形成することもできる。その燃料タンク１の外壁は、例えば、外側から順に表皮層、外部本体層、外部接着層、バリヤ層、内部接着層及び内部本体層から形成されている。本発明で溶着される溶着部品７は、表皮層に溶着される。溶着部品７と表皮層は、溶着しやすい材料、例えば同じ種類の材料を使用することが好ましい。また、燃料タンク１の外壁は、１層又は６層以外の多層とすることができる。
【００３６】
表皮層、外部本体層は、耐衝撃性が大きく、燃料油に対しても剛性が維持される熱可塑性合成樹脂から形成され、高密度ポリエチレン（ＨＤＰＥ）から形成されることが好ましい。外部本体層が、無機フィラーを含有した場合には、外部本体層の表面を覆うため、表皮層が使用され、表面に無機フィラーが出ることがなく、表面を円滑にすることができる。
【００３７】
射出成形で成形された場合は、燃料タンク１は、分割して成形されたアッパーシェル部とロアシェル部から構成される。アッパーシェル部とロアシェル部は、それぞれ、射出成形で形成される内側樹脂層と、内側樹脂層の成形後に、外側に接着又は溶着される耐燃料透過性多層樹脂シートから構成される外側シート層の２層から形成される。なお、アッパーシェル部とロアシェル部は、耐燃料透過性の合成樹脂の１層で形成しても良い。
燃料タンク１の分割はアッパーシェル部とロアシェル部の２個ばかりでなく３個以上に分割することも可能である。また、燃料タンク１は、ブロー成形でアッパーシェル部とロアシェル部を一体的に同時に成形することもできる。
【００３８】
燃料タンク１は、衝撃や摩耗に強いポリエチレン（ＰＥ）や、高密度ポリエチレン（ＨＤＰＥ）から形成されることができ、この場合は、燃料タンク１の強度を増加させ、燃料タンク１内部の燃料の透過を防止できる。また、燃料透過防止性をさらに向上させるために、燃料タンク１の内部に耐燃料透過性多層樹脂シートを使用することもできる。
ブロー成形の場合には、多層パリソンを使用することができる。いずれの場合においても、ニップル９等の合成樹脂製部品は、燃料タンク１と溶着するためには、燃料タンク１と溶着可能な同種類の材料を使用することが必要である。
【００３９】
次に、燃料タンク１に部品を溶着するときに使用する部品溶着装置１０について、図２〜図５に基づき説明する。
図２に示すように、部品溶着装置１０は、後述する燃料タンク１の溶着表面１ａを溶融するタンクヒータ部材２５と、溶着する溶着部品７の部品溶着面８を溶融する部品ヒータ部材２４が取付けられたヒータ部材２３を有する。
【００４０】
図３に示すように、ヒータ部材２３は、ヒータ部材保持テーブル２１に取付けられて、ヒータ部材保持テーブル２１は、ヒータユニットスライドテーブル２７に取付けられて、燃料タンク１の溶着表面１ａに対して平行にスライド可能に取付けられている。
タンクヒータ部材２５は、燃料タンク１の溶着表面１ａと対向しており、部品ヒータ部材２４は、溶着部品７の部品溶着面８と対向している。
【００４１】
図４に示すように、ヒータ部材保持テーブル２１には、ヒータユニットスライドエアシリンダ２２ａのシャフトの先端とヒータユニットスライドシャフト２２ｂの先端が固着されている。ヒータユニットスライドエアシリンダ２２ａの本体はヒータユニットスライドテーブル２７に取付けられて、ヒータユニットスライドシャフト２２ｂは、ヒータユニットスライドテーブル２７に摺動可能に取付けられている。
【００４２】
図４と図５に示すように、ヒータユニットスライドテーブル２７には、ヒータ部材保持テーブル２１の移動を規制するようにストッパ部材２６が取付けられている。ストッパ部材２６によりヒータユニットスライドエアシリンダ２２ａ及びヒータユニットスライドシャフト２２ｂによるヒータ部材保持テーブル２１の移動を規制して、ヒータ部材２３の保持位置を規制して、図３に示すように、ヒータ部材２３のタンクヒータ部材２５が確実に燃料タンク１の溶着表面１ａに位置させることができる。
【００４３】
ヒータユニットスライドテーブル２７は、部品溶着装置１０のベースプレート１１に摺動可能に取付けられている。
ヒータ部材２３、ヒータ部材保持テーブル２１、ヒータユニットスライドテーブル２７および平行スライド部材２２がヒータユニット２０を構成している。ヒータユニット２０は、燃料タンク１の溶着表面１ａに対して垂直スライド部材１２により、ベースプレート１１に摺動可能に取付けられている。そのため、タンクヒータ部材２５は、燃料タンク１の溶着表面１ａに対して垂直にスライド可能に取付けられている。
【００４４】
図２に示すように、垂直スライド部材１２は、ベースプレート１１に取付けられたタンク加圧用エアシリンダ１２ａとタンク加圧用スライドシャフト１２ｂから構成され、タンク加圧用スライドシャフト１２ｂの先端は、ヒータユニットスライドテーブル２７に固定されている。
【００４５】
そのため、タンク加圧用エアシリンダ１２ａによりタンク加圧用スライドシャフト１２ｂをスライドさせると、ヒータユニット２０全体がスライドする。即ち、ヒータユニットスライドテーブル２７はベースプレート１１に沿ってスライドして、ヒータ部材保持テーブル２１に取付けられたヒータ部材２３も一緒にスライドする。
【００４６】
図２に示すように、ベースプレート１１には、部品チャック部材１５が部品ヒータ部材２４と対向するように取付けられている。部品チャック部材１５には、部品チャック用エアシリンダ１４が取付けられて、部品チャック部材１５により溶着部品７が着脱自在に取付けられることができる。
【００４７】
図３に示すように、部品チャック部材１５と部品チャック用エアシリンダ１４は、部品加圧用エアシリンダ１３により、ベースプレート１１に摺動自在に取付けられている。部品チャック部材１５に取付けられた溶着部品７の部品溶着面８が部品ヒータ部材２４に当接して溶融されるとともに、溶融された部品溶着面８が燃料タンク１の溶着表面１ａに押圧されることができる。
【００４８】
次に、図２〜図５に基づき、燃料タンク１の溶着表面１ａに溶着部品７を溶着する工程について説明する。
まず、図３に示すように、タンクヒータ部材２５と対向する位置に燃料タンク１の溶着表面１ａを置く。このとき、燃料タンク１の溶着表面１ａが燃料タンク１の外壁に対して傾斜している場合には、部品溶着装置１０のタンクヒータ部材２５を燃料タンク１の溶着表面１ａに対して密着するように同じ角度に傾斜させて配置する。
【００４９】
このとき、図２に示す部品チャック部材１５には溶着部品７を取付けて、溶着部品７の部品溶着面８が部品ヒータ部材２４の溶融面と同じ角度になるように取付ける。
次に、垂直スライド部材１２のタンク加圧用エアシリンダ１２ａとタンク加圧用スライドシャフト１２ｂによりヒータユニット２０のヒータユニットスライドテーブル２７を燃料タンク１の方向（図３の右方向）に動かす。
【００５０】
そうするともヒータ部材保持テーブル２１とヒータ部材２３が動いて、燃料タンク１の溶着表面１ａにタンクヒータ部材２５が密着する。それと同時に、部品加圧用エアシリンダ１３により部品チャック部材１５が部品ヒータ部材２４方向に移動して、溶着部品７の部品溶着面８が部品ヒータ部材２４に密着する。これにより、燃料タンク１の溶着表面１ａと溶着部品７の部品溶着面８が溶融される。
【００５１】
次に、部品加圧用エアシリンダ１３により部品チャック部材１５が部品ヒータ部材２４から離れるように移動するとともに、タンク加圧用エアシリンダ１２ａとタンク加圧用スライドシャフト１２ｂによりヒータユニット２０のヒータユニットスライドテーブル２７とヒータ部材保持テーブル２１が動いて、タンクヒータ部材２５が燃料タンク１の溶着表面１ａから垂直方向に離れるように移動する。
【００５２】
次に、図４に示すように、平行スライド部材２２のヒータユニットスライドエアシリンダ２２ａにより、ヒータ部材保持テーブル２１が上昇して、ヒータ部材２３が燃料タンク１の溶着表面１ａから平行方向に離れるように移動する。
平行スライド部材２２を使用するため、ヒータユニット２０を燃料タンク１の溶着表面１ａからスライドさせているときの平行スライド部材２２の出力は一定である。
【００５３】
これにより、ヒータ部材２３がり燃料タンク１の溶着表面１ａから外れて、部品チャック部材１５に取付けられた溶着部品７の部品溶着面８が部品加圧用エアシリンダ１３により燃料タンク１の溶着表面１ａに密着するように移動することができる。
部品加圧用エアシリンダ１３により部品チャック部材１５に取付けられた溶着部品７の部品溶着面８が燃料タンク１の溶着表面１ａに密着すると、溶着表面１ａと部品溶着面８が溶着して、溶着部品７を燃料タンク１の溶着表面１ａに取付けることができる。溶着部品７が燃料タンク１に取付けられると、部品チャック部材１５は溶着部品７から離れて、部品加圧用エアシリンダ１３により元の位置に戻る。
【００５４】
溶着部品７を燃料タンク１の溶着表面１ａに取付けた後に、ヒータユニットスライドエアシリンダ２２ａにより、ヒータ部材保持テーブル２１が下降して、ヒータ部材２３が元の位置に戻る。このとき、平行スライド部材２２の出力は一定であり、位置決め部材であるストッパ部材２６に衝突することがなく、ストッパ部材２６に位置ずれを生じることがない。このため、次の工程において、タンクヒータ部材２５と部品ヒータ部材２４は、燃料タンク１の溶着表面１ａと溶着部品７の部品溶着面８に確実に当接して、溶融することができる。
【符号の説明】
【００５５】
１  燃料タンク
１ａ  溶着表面
６  溶着部品
７  部品溶着面
１０  部品溶着装置
１２  垂直スライド部材
２０  ヒータユニット
２１  ヒータユニット保持テーブル
２２  平行スライド部材
２３  ヒータ部材
２４  部品ヒータ部材
２５  タンクヒータ部材
２６  ストッパ部材
２７  ヒータユニットスライドテーブル
【図１】
2017024275.tif 000003
【図２】
2017024275.tif 000004
【図３】
2017024275.tif 000005
【図４】
2017024275.tif 000006
【図５】
2017024275.tif 000007
【図６】
2017024275.tif 000008
【図７】
2017024275.tif 000009